(57)【要約】【課題】本発明は、水に高電圧を印加することにより帯電微粒子水を生成し、この帯電微粒子水による空気浄化装置に関するもので、細菌の抑制能力の更なる向上ができるものである。【解決手段】そしてこの目的を達成するために本発明は、吸気口２と吹出口３を有する本体ケース１内に設けた送風手段４と、帯電微粒子水を生成する静電霧化手段５と、この帯電微粒子水とは、逆の極性をもつイオンを放出するイオン発生手段６とを備え、イオン発生手段６は、放電電極２４は対向電極２５よりケーシング部８の第２の側面１５側に設け、イオン発生手段６は、ケーシング部８の第２の側面１５寄りに位置すると共に、イオン発生手段６の放電電極２４とケーシング部８の第２の側面１５との間で、放電電極２４の先端から放電電極２４が延びる方向に磁石２７を設けたものである。【選択図】図２
2013074998.tif 000002
【特許請求の範囲】
【請求項１】
吸気口と吹出口を有する本体ケースと、この本体ケースの内に設けた送風手段と、帯電微粒子水を生成する静電霧化手段と、この帯電微粒子水とは、逆の極性をもつイオンを放出するイオン発生手段とを備え、前記送風手段は、スクロール形状のケーシング部と、このケーシング部に固定されたモーター部と、このモーター部により回転する羽根部とからなり、前記ケーシング部は、舌片を有する舌片形成面と、この舌片形成面に対向する舌片対向面と、これら舌片形成面と舌片対向面の両側を結ぶ第１の側面と第２の側面とにより形成し、前記第１の側面には、吸込口を備え、前記舌片形成面、前記舌片対向面、前記第１の側面、および前記第２の側面とに囲まれた吐出口を有し、前記吐出口に前記静電霧化手段を設け、前記吐出口の前記静電霧化手段より風上側に前記イオン発生手段を備え、前記イオン発生手段は、棒状の放電電極と、この放電電極と平行に延びた棒状の対向電極と、前記放電電極と前記対向電極に電圧を印加する高電圧印加部とから構成し、前記放電電極は前記対向電極より前記ケーシング部の前記第２の側面側に設け、前記イオン発生手段は、前記ケーシング部の前記第２の側面寄りに位置すると共に、前記イオン発生手段の前記放電電極と前記ケーシング部の前記第２の側面との間で、前記放電電極の先端から前記放電電極が延びる方向に隣接して磁石を設けた空気浄化装置。
【請求項２】
前記舌片形成面は、前記ケーシング部の外方へ窪んだ窪み部を設け、この窪み部内に、前記イオン発生手段の前記放電電極と前記対向電極、および前記磁石を備えたことを特徴とする請求項１に記載の空気浄化装置。
【請求項３】
前記吐出口は、上方に開口し、前記舌片形成面は、前記舌片から前記吐出口へ向かうにつれて風路が広がるように斜め上方へ傾斜する傾斜面を有し、この傾斜面に、前記窪み部を備え、前記窪み部は、前記舌片形成面から水平方向に窪んだ第１の窪み部と、この第１の窪み部の前記舌片形成面側の下面から下方向に窪んだ第２の窪み部とからなり、前記第１の窪み部には、前記イオン発生手段と前記磁石とを有し、前記磁石は、前記第２の窪み部の上部に位置し、前記イオン発生手段は、前記第２の窪み部より前記ケーシング部の外方に位置することを特徴とする請求項２に記載の空気浄化装置。
【発明の詳細な説明】
【技術分野】
【０００１】
本発明は、水に高電圧を印加することにより帯電微粒子水を生成し、この帯電微粒子水による空気浄化装置に関する。
【背景技術】
【０００２】
従来のこの種の構成は以下のようになっていた。
【０００３】
すなわち、吹出口と吸気口とを設けた本体ケースと、この本体ケース内の吸気口から吹出口への風路に静電霧化手段を備えた構成となっていた。
【０００４】
（例えば、これに類似する先行文献は下記特許文献１に記載されている。）
【先行技術文献】
【特許文献】
【０００５】
【特許文献１】特開２０１１−０３３３０５号公報
【発明の概要】
【発明が解決しようとする課題】
【０００６】
上記従来例における課題は、細菌の抑制能力の更なる向上ということであった。
【０００７】
すなわち、従来の物においては、水に高電圧を印加することにより帯電微粒子水を生成し、この帯電微粒子水が、空気中へ放出され、空気中の細菌と接触することにより、細菌の抑制を行なうものである。この帯電微粒子水が、より多くの空気中の細菌に接触できると、細菌の抑制性能が向上するものである。
【０００８】
そこで、この接触確率を高める為に、更に、この帯電微粒子水とは、逆の極性をもつイオンを放出するイオン発生手段を設ける。これにより、イオンが空気中の細菌と接触し、空気中の細菌が、帯電微粒子水と逆の極性に帯電するものである。この帯電微粒子水と逆の極性に帯電した細菌には、静電霧化手段から発生した帯電微粒子水が接触し易くなり、接触確率を高めることができるものである。
【０００９】
ところが、イオンが、本体ケースの吸気口から吹き出されるが、本体ケースの吸気口などの送風路に接触すると、その接触箇所で帯電し、イオンの発生量が低下することが課題であった。
【００１０】
そこで本発明は、細菌の抑制能力の更なる向上を目的とするものである。
【課題を解決するための手段】
【００１１】
そしてこの目的を達成するために本発明は、吸気口と吹出口を有する本体ケースと、この本体ケースの内に設けた送風手段と、帯電微粒子水を生成する静電霧化手段と、この帯電微粒子水とは、逆の極性をもつイオンを放出するイオン発生手段とを備え、前記送風手段は、スクロール形状のケーシング部と、このケーシング部に固定されたモーター部と、このモーター部により回転する羽根部とからなり、前記ケーシング部は、舌片を有する舌片形成面と、この舌片形成面に対向する舌片対向面と、これら舌片形成面と舌片対向面の両側を結ぶ第１の側面と第２の側面とにより形成し、前記第１の側面には、吸込口を備え、前記舌片形成面、前記舌片対向面、前記第１の側面、および前記第２の側面とに囲まれた吐出口を有し、前記吐出口に前記静電霧化手段を設け、前記吐出口の前記静電霧化手段より風上側に前記イオン発生手段を備え、前記イオン発生手段は、棒状の放電電極と、この放電電極と平行に延びた棒状の対向電極と、前記放電電極と前記対向電極に電圧を印加する高電圧印加部とから構成し、前記放電電極は前記対向電極より前記ケーシング部の前記第２の側面側に設け、前記イオン発生手段は、前記ケーシング部の前記第２の側面寄りに位置すると共に、前記イオン発生手段の前記放電電極と前記ケーシング部の前記第２の側面との間で、前記放電電極の先端から前記放電電極が延びる方向に磁石を設けたものである。
【００１２】
これにより、初期の目的を達成するものである。
【発明の効果】
【００１３】
以上のように本発明は、吸気口と吹出口を有する本体ケースと、この本体ケースの内に設けた送風手段と、帯電微粒子水を生成する静電霧化手段と、この帯電微粒子水とは、逆の極性をもつイオンを放出するイオン発生手段とを備え、前記送風手段は、スクロール形状のケーシング部と、このケーシング部に固定されたモーター部と、このモーター部により回転する羽根部とからなり、前記ケーシング部は、舌片を有する舌片形成面と、この舌片形成面に対向する舌片対向面と、これら舌片形成面と舌片対向面の両側を結ぶ第１の側面と第２の側面とにより形成し、前記第１の側面には、吸込口を備え、前記舌片形成面、前記舌片対向面、前記第１の側面、および前記第２の側面とに囲まれた吐出口を有し、前記吐出口に前記静電霧化手段を設け、前記吐出口の前記静電霧化手段より風上側に前記イオン発生手段を備え、前記イオン発生手段は、棒状の放電電極と、この放電電極と平行に延びた棒状の対向電極と、前記放電電極と前記対向電極に電圧を印加する高電圧印加部とから構成し、前記放電電極は前記対向電極より前記ケーシング部の前記第２の側面側に設け、前記イオン発生手段は、前記ケーシング部の前記第２の側面寄りに位置すると共に、前記イオン発生手段の前記放電電極と前記ケーシング部の前記第２の側面との間で、前記放電電極の先端から前記放電電極が延びる方向に磁石を設けたものであり、細菌の抑制性能の更なる向上ができるものである。
【００１４】
すなわち、イオン発生手段は、ケーシング部の第２の側面寄りに位置し、放電電極は、対向電極よりケーシング部の第２の側面側に設け、放電電極とケーシング部の第２の側面との間で、放電電極の先端から放電電極が延びる方向に隣接して磁石を設けたものである。
【００１５】
このように、放電電極は、対向電極よりケーシング部の第２の側面側に設けているので、イオンは、放電電極よりケーシング部の第１の側面側へ向けて多く発生する。ここで、放電電極とケーシング部の第２の側面との間で、放電電極の先端から放電電極が延びる方向に隣接して磁石を設けているので、放電電極よりケーシング部の第１の側面側へ向けて発生したイオンは、磁石の磁力によって、発生方向が、更に第１の側面側へ変化する。そして、イオン発生手段は、ケーシング部の第２の側面寄りに位置しているので、イオン発生手段から発生したイオンは、ケーシング部の第１の側面と、ケーシング部の第２の側面との間を通過しやすくなる。つまり、ケーシング部の第１の側面、および第２の側面との接触が抑制されるものである。
【００１６】
これらの結果により、細菌の抑制能力の更なる向上をすることができるものである。
【図面の簡単な説明】
【００１７】
【図１】本発明の実施の形態１の空気浄化装置の概略図
【図２】同空気浄化装置の概略断面を示す図
【図３】同空気浄化装置の送風手段の概略を示す図
【図４】同空気浄化装置の静電霧化手段の概略を示す図
【図５】同空気浄化装置のイオン発生手段の概略を示す図
【図６】同空気浄化装置の概略断面を示す図
【発明を実施するための形態】
【００１８】
以下、本実施形態を添付図面を用いて説明する。
【００１９】
（実施の形態１）
図１および図２に示すように、本実施形態の空気浄化装置は、吸気口２と吹出口３を有する本体ケース１と、この本体ケース１の内には、送風手段４と、帯電微粒子水を生成する静電霧化手段５と、この帯電微粒子水とは逆の極性をもつイオンを放出するイオン発生手段６と、空気清浄フィルター７を備えている。
【００２０】
本体ケース１は、略箱形状で、上面には、横長四角形状の吹出口３を設け、前面および側面には、吸気口２を備えている。
【００２１】
送風手段４は、本体ケース１内の吸気口２と吹出口３とを連通する風路に位置し、スクロール形状のケーシング部８と、このケーシング部８に固定されたモータ部９と、このモータ部９によって回転する羽根部１０とから構成している。
【００２２】
ケーシング部８は、図３に示すように、舌片１１を有する舌片形成面１２と、この舌片形成面１２に対向する舌片対向面１３と、これら舌片形成面１２と舌片対向面１３の両側を結ぶ第１の側面１４と、第２の側面１５とにより形成している。この第１の側面１４には、円形状の吸込口１６を備えている。この吸込口１６は、本体ケース１における前面側に対向している。ケーシング部８の本体ケース１における天面側には、舌片形成面１２、舌片対向面１３、第１の側面１４、および第２の側面１５とに囲まれ横長四角形状の吐出口１７を有している。羽根部１０は、シロッコタイプである。
【００２３】
静電霧化手段５は、図２に示すように、吐出口１７に設けている。具体的には、ケーシング部８の舌片形成面１２の上部と、本体ケース１との間の空間に位置し、舌片形成面１２から伸びた連通路１８を介して、ケーシング部８内と連通している。静電霧化手段５で発生した、帯電微粒子水は、連通路１８を介して、ケーシング部８内へ流れ、送風手段４によって吹出口３から送風される。
【００２４】
静電霧化手段５は、図４に示すように、放電電極１９と、この放電電極１９に対向して配置された対向電極２０と、これらの対向電極２０と放電電極１９間に高電圧（この実施形態では３．５ＫＶ）を印加する高電圧印加部２１と、放電電極１９を冷却する冷却部として配置したペルチェ素子２２と、このペルチェ素子２２の熱を放熱する放熱フィン２３とを備えている。
【００２５】
ペルチェ素子２２は０．１Ｖ〜２．８Ｖ程度の電圧を印加するものであり、この実施形態では、放電電極１９側を低温に、放熱フィン２３側を高温にする。この放電電極１９部分で冷却されることで、結露すると、負に帯電した帯電微粒子水が発生することになる。
【００２６】
このため、負に帯電した帯電微粒子水が、吹出口３から本体ケース１外に排気され、負に帯電した帯電微粒子水にはヒドロキシルラジカルなどの活性種が含まれており、この負に帯電した帯電微粒子水中のヒドロキシルラジカルが細菌などと接触すると、その酸化作用により細菌が抑制され除菌することができるのである。
【００２７】
なお、ヒドロキシルラジカルはヒドロキシ基（水酸基）に反応するラジカルであり、このラジカルは通常２個１組で軌道上を回転しているはずの電子が一つしかないので、電気的に非常に不安定で、周りの原子や分子から欠けた電子を奪おうとするために、酸化力が非常に強いものであり、この酸化作用により細菌が抑制され、除菌されるのである。
【００２８】
空気清浄フィルター７は、本体ケース１の吸気口２と送風手段４との間の風路に設けている。
【００２９】
以上の構成において、図１および図２に示すように、空気浄化の動作について説明する。送風手段４によって、本体ケース１の吸気口２から室内の空気が吸い込まれ、空気清浄フィルター７へ送風される。この空気清浄フィルター７で、埃などが捕集される。この埃などが捕集された空気は、送風手段４のケーシング部８内へ流れ、このケーシング部８内で、静電霧化手段５から発生した帯電微粒子水と、イオン発生手段６から発生した正イオンと共に、吹出口３から本体ケース１外に送風される。
【００３０】
イオン発生手段６は、帯電微粒子水と逆の極性をもつ正イオンを放出するので、イオン発生手段６から発生した正イオンが空気中の細菌と接触することにより、空気中の細菌が、帯電微粒子水と逆の極性、正に帯電するものである。この帯電微粒子水と逆の極性、正に帯電した細菌には、静電霧化手段５から発生した負に帯電した帯電微粒子水が接触し易くなり、接触確率を高めることができる。
【００３１】
本実施形態における特徴は、イオン発生手段６と、磁石２７との構成にある。
【００３２】
イオン発生手段６は、図５に示すように、吐出口１７の静電霧化手段５より風上側に位置し、棒状の放電電極２４と、この放電電極２４と平行に延びた棒状の対向電極２５と、放電電極２４と対向電極２５に高電圧（この実施形態では４．４ＫＶ）を印加する高電圧印加部２６とから構成している。高電圧を印加した放電電極２４の針先から正イオンが放出される。
【００３３】
ここで、図６に示すように、イオン発生手段６は、ケーシング部８の第２の側面１５寄りに位置し、放電電極２４は、対向電極２５よりケーシング部８の第２の側面１５側に設け、イオン発生手段６の放電電極２４とケーシング部８の第２の側面１５との間で、放電電極２４の先端から放電電極２４が延びる方向に隣接して磁石２７を設けたものである。
【００３４】
すなわち、イオン発生手段６は、ケーシング部８の第２の側面１５寄りに位置し、放電電極２４は、対向電極２５よりケーシング部８の第２の側面１５側に設け、放電電極２４とケーシング部８の第２の側面１５との間で、放電電極２４の先端から放電電極２４が延びる方向に隣接して磁石２７を設けたものである。
【００３５】
このように、放電電極２４は、対向電極２５よりケーシング部８の第２の側面１５側に設けているので、イオンは、放電電極２４よりケーシング部８の第１の側面１４側へ向けて多く発生する。ここで、放電電極２４とケーシング部８の第２の側面１５との間で、放電電極２４の先端から放電電極２４が延びる方向に隣接して磁石２７を設けているので、放電電極２４よりケーシング部８の第１の側面１４側へ向けて発生したイオンは、磁石２７の磁力によって、発生方向が、更に第１の側面１４側へ変化する。そして、イオン発生手段６は、ケーシング部８の第２の側面１５寄りに位置しているので、イオン発生手段６から発生したイオンは、ケーシング部８の第１の側面１４と、ケーシング部８の第２の側面１５との間を通過しやすくなる。つまり、ケーシング部８の第１の側面１４、および第２の側面１５との接触が抑制されるものである。
【００３６】
これらの結果により、細菌の抑制能力の更なる向上をすることができるものである。
【００３７】
また、舌片形成面１２は、ケーシング部８の外方へ窪んだ窪み部２８を設け、この窪み部２８内に、イオン発生手段６の放電電極２４と対向電極２５、および磁石２７を備えたものである。
【００３８】
すなわち、イオン発生手段６、および磁石２７は、ケーシング部８の外方へ窪んだ窪み部２８に位置するので、送風手段４による送風が、直接、イオン発生手段６、および磁石２７に当たることを抑制できるので、イオン発生手段６、および磁石２７よる送風抵抗を低減できる。
【００３９】
また、ケーシング部８の吐出口１７は、上方に開口し、舌片形成面１２は、舌片１１から１７吐出口へ向かうにつれて風路が広がるように斜め上方へ傾斜している傾斜面３１を有する。この傾斜面３１に、窪み部２８を備えている。
【００４０】
窪み部２８は、第１の窪み部２９と、第２の窪み部３０とからなるものである。第１の窪み部２９は、舌片形成面１２から、本体ケース１における一方側の側面である右側側面の方向へ水平方向に窪んだ略四角柱形状の空間である。第２の窪み部３０は、第１の窪み部２９の舌片形成面１２側の下面から下方向であると共に、舌片形成面１２へ傾いて窪んだ空間である。第１の窪み部２９には、イオン発生手段６と磁石２７とを有している。
【００４１】
磁石２７は、第２の窪み部３０の上部であり、第２の側面１５側、つまり本体ケース１における背面側である第１の窪み部２９の側面に位置し、三角平板形状である。なお、磁石２７は、平板形状の等方性磁石であり、Ｎ極とＳ極とが、面方向に連続して隣接している。これにより、磁石２７の面方向に、磁界、および電流が発生し、磁石２７の平面に対して垂直方向へ力が発生する。この垂直方向へ発生する力によって、イオンの発生方向が変化するものである。
【００４２】
イオン発生手段６は、第１の窪み部２９内で、第２の窪み部３０よりケーシング部８の外方、つまり、第１の窪み部２９の奥に位置するものである。イオン発生手段６の放電電極２４と、対向電極２５とは、第１の窪み部２９の奥から傾斜面３１方向へ伸び、放電電極２４と、対向電極２５とは、水平方向に平行に位置し、放電電極２４は、対向電極２５よりケーシング部８の第２の側面１５側、つまり本体ケース１における背面側に設けている。本体ケース１における上方から見ると、第２の窪み部３０の開口部が見えるものであるが、放電電極２４と、対向電極２５は見えないものである。
【００４３】
これにより、イオン発生手段６は、第２の側面１５よりに設け、ケーシング部８内で、舌片形成面１２の傾斜面３１に、窪み部２８を備えているので、傾斜面３１を流れる送風によって、窪み部２８の空気が誘引される。つまり、窪み部２８である第１の窪み部２９のイオン発生手段６かで発生した正イオンも、誘引され、ケーシング部８内へ送風される。ここで、羽根部１０は、シロッコタイプであり、ケーシング部８内を流れる空気は、吸込口１６を有する第１の側面１４に沿って流れる空気に比べ、第２の側面１５に沿って流れる空気の方が風量が大きいと考えられるので、窪み部２８である第１の窪み部２９のイオン発生手段６かで発生した正イオンは、第２の側面１５へ誘引されると考えられる。
【００４４】
そこで、放電電極２４は、対向電極２５よりケーシング部８の第２の側面１５側に設けているので、正イオンは、放電電極２４よりケーシング部８の第１の側面１４側へ向けて多く発生する。ここで、放電電極２４とケーシング部８の第２の側面１５との間で、第２の窪み部３０の上部であり、第１の窪み部２９の第２の側面１５側に磁石２７を設けているので、放電電極２４よりケーシング部８の第１の側面１４側へ向けて発生したイオンは、磁石２７の磁力、つまり磁石２７の平面方向に、磁界、および電流が発生し、磁石２７の平面に対して垂直方向へ力が発生することによって、発生方向が、更に第１の側面１４側へ変化する。
【００４５】
これにより、イオン発生手段６から発生したイオンは、ケーシング部８の第１の側面１４と、ケーシング部８の第２の側面１５との間を通過しやすくなる。つまり、ケーシング部８の第１の側面１４、および第２の側面１５との接触が抑制されるものである。
【産業上の利用可能性】
【００４６】
以上のように本発明は、
吸気口と吹出口を有する本体ケースと、この本体ケースの内に設けた送風手段と、帯電微粒子水を生成する静電霧化手段と、この帯電微粒子水とは、逆の極性をもつイオンを放出するイオン発生手段とを備え、前記送風手段は、スクロール形状のケーシング部と、このケーシング部に固定されたモーター部と、このモーター部により回転する羽根部とからなり、前記ケーシング部は、舌片を有する舌片形成面と、この舌片形成面に対向する舌片対向面と、これら舌片形成面と舌片対向面の両側を結ぶ第１の側面と第２の側面とにより形成し、前記第１の側面には、吸込口を備え、前記舌片形成面、前記舌片対向面、前記第１の側面、および前記第２の側面とに囲まれた吐出口を有し、前記吐出口に前記静電霧化手段を設け、前記吐出口の前記静電霧化手段より風上側に前記イオン発生手段を備え、前記イオン発生手段は、棒状の放電電極と、この放電電極と平行に延びた棒状の対向電極と、前記放電電極と前記対向電極に電圧を印加する高電圧印加部とから構成し、前記放電電極は前記対向電極より前記ケーシング部の前記第２の側面側に設け、前記イオン発生手段は、前記ケーシング部の前記第２の側面寄りに位置すると共に、前記イオン発生手段の前記放電電極と前記ケーシング部の前記第２の側面との間で、前記放電電極の先端から前記放電電極が延びる方向に磁石を設けたものであり、細菌の抑制性能の更なる向上ができるものである。
【００４７】
すなわち、イオン発生手段は、ケーシング部の第２の側面寄りに位置し、放電電極は、対向電極よりケーシング部の第２の側面側に設け、放電電極とケーシング部の第２の側面との間で、放電電極の先端から放電電極が延びる方向に隣接して磁石を設けたものである。
【００４８】
このように、放電電極は、対向電極よりケーシング部の第２の側面側に設けているので、イオンは、放電電極よりケーシング部の第２の側面側へ向けて多く発生する。ここで、放電電極とケーシング部の第２の側面との間で、放電電極の先端から放電電極が延びる方向に隣接して磁石を設けているので、放電電極よりケーシング部の第２の側面側へ向けて発生したイオンは、磁石の磁力によって、発生方向が、第１の側面側へ変化する。そして、イオン発生手段は、ケーシング部の第２の側面寄りに位置しているので、イオン発生手段から発生したイオンは、ケーシング部の第１の側面と、ケーシング部の第２の側面との間を通過しやすくなる。つまり、ケーシング部の第１の側面、および第２の側面との接触が抑制されるものである。
【００４９】
これらの結果により、細菌の抑制能力の更なる向上をすることができるものである。
【００５０】
従って、家庭用や事務所用などの、空気浄化装置として活用が期待されるものである。
【符号の説明】
【００５１】
１    本体ケース
２    吸気口
３    吹出口
４    送風手段
５    静電霧化手段
６    イオン発生手段
７    空気清浄フィルター
８    ケーシング部
９    モータ部
１０  羽根部
１１  舌片
１２  舌片形成面
１３  舌片対向面
１４  第１の側面
１５  第２の側面
１６  吸込口
１７  吐出口
１８  連通路
１９  放電電極
２０  対向電極
２１  高電圧印加部
２２  ペルチェ素子
２３  放熱フィン
２４  放電電極
２５  対向電極
２６  高電圧印加部
２７  磁石
２８  窪み部
２９  第１の窪み部
３０  第２の窪み部
３１  傾斜面
【図１】
2013074998.tif 000003
【図２】
2013074998.tif 000004
【図３】
2013074998.tif 000005
【図４】
2013074998.tif 000006
【図５】
2013074998.tif 000007
【図６】
2013074998.tif 000008